(57)【要約】      （修正有）【課題】より多くのイオンを対象物に到達させることができる美容装置を提供する。【解決手段】美顔器本体の上面にはノズル部位が配置され、当該ノズル部位はマイナスイオンを放出するイオンノズルを有している。マイナスイオン放電部６１は当該イオンノズルに形成される収容凹部に収容保持され、当該マイナスイオン放電部６１は針電極６３とグランド電極６４を有するとともに、当該グランド電極６４の環状の放電部Ｇ４側が下側に、当該グランド電極６４の第１〜第３支持片Ｇ１，Ｇ２側が上側に位置するように配置固定した。【選択図】図３
2011076984.tif 000002
【特許請求の範囲】
【請求項１】
対象物に向けてイオンが吐出するイオン吐出口と、
前記イオン吐出口の反対象物側に連通する通路部材に、イオン放出用の第１電極と、前記第１電極より前記イオン吐出口側に位置する第２電極とが配置され、両電極間に高電圧を印加することで放電させてイオンを発生させるイオン発生装置と、
前記イオン吐出口の対象物側のイオン吐出方向に対して直交した方向の一側に偏倚した位置に配置された部材と
を備えた美容装置であって、
前記第１電極と前記第２電極との間に設けられ、前記部材が前記イオン吐出方向に対して直交した方向の一側に偏倚した位置に配置された側に、前記放電を防止する防止手段を備えていることを特徴とする美容装置。
【請求項２】
請求項１に記載の美容装置において、
前記防止手段は、前記第２電極を支持する支持部材により構成されることを特徴とする美容装置。
【請求項３】
請求項１又は２に記載の美容装置において、
前記防止手段は、前記第１電極を支持する支持部材により構成されることを特徴とする美容装置。
【請求項４】
請求項１〜３のいずれか１項に記載の美容装置において、
前記第１電極と、前記第１電極の少なくとも前記第２電極の接続線側との間は、絶縁材料で構成されていることを特徴とする美容装置。
【請求項５】
請求項１〜４のいずれか１つの記載の美容装置において、
前記イオン吐出方向に対して直交した一側に偏倚した位置に設けられた部材が接地されていることを特徴とする美容装置。
【発明の詳細な説明】
【技術分野】
【０００１】
本発明は、イオン放出用の第１電極と第２電極とを有し、両電極間に高電圧を印加することで放電を生じさせてイオンを発生させるイオン発生装置を備えた美容装置に関するものである。
【背景技術】
【０００２】
この種のイオン発生装置は、イオン放出用の針電極（第１電極）と、グランドに接続されたグランド電極（第２電極）とを有し、針電極へのマイナスの高電圧印加に基づいて両電極間にコロナ放電を生じさせ、該放電に基づいてマイナスイオンを発生させている（例えば特許文献１参照）。
【０００３】
そして、イオン発生装置を備えた美容装置において、例えば、特許文献１のようにヘヤードライヤーでは、生成したマイナスイオンを対象物に流動案内するため、美容装置から対象物に向けて開口している導風筒を備えている。そして、ヘヤードライヤーは、イオン発生装置で発生させたマイナスイオンを導風筒を介して対象物に吐出している。
【０００４】
また、イオン発生装置を備えた美容装置では、イオン発生装置を露出・隠蔽するためのカバーが、イオン発生装置の設置箇所に上側に傾動可能に取り付けられている場合がある。
【先行技術文献】
【特許文献】
【０００５】
【特許文献１】特開２００３−０８６３３０号公報
【発明の概要】
【発明が解決しようとする課題】
【０００６】
ところで、上記した美容装置に備えられた導風筒及びカバーは、イオン発生装置がマイナスイオンを吐出する方向に配置されている。このため、美容装置は、イオン発生装置で発生させたマイナスイオンを対象物に向かって吐出する際、導風筒やカバーにマイナスイオンの一部が付着する。このマイナスイオンの付着によって、対象物へのイオンの到達量が減少してしまうという問題があった。
【０００７】
また、美容装置に備えられた導風筒やカバーは、付着したイオンによって帯電する。これにより、帯電した導風筒やカバーと、イオン発生装置からのマイナスイオンが反発し、イオン発生装置からのマイナスイオンが対象物方向に向かって飛翔しない。この結果、対象物へのマイナスイオンの到達量がさらに減少してしまうという問題があった。
【０００８】
本発明は、上記課題を解決するためになされたものであって、その目的は、より多くのイオンを対象物に到達させることができる美容装置を提供することにある。
【課題を解決するための手段】
【０００９】
上記課題を解決するために、請求項１に記載の発明は、対象物に向けてイオンが吐出するイオン吐出口と、前記イオン吐出口の反対象物側に連通する通路部材に、イオン放出用の第１電極と、前記第１電極より前記イオン吐出口側に位置する第２電極とが配置され、両電極間に高電圧を印加することで放電させてイオンを発生させるイオン発生装置と、前記イオン吐出口の対象物側のイオン吐出方向に対して直交した方向の一側に偏倚した位置に配置された部材とを備えた美容装置であって、前記第１電極と前記第２電極との間に設けられ、前記部材が前記イオン吐出方向に対して直交した方向の一側に偏倚した位置に配置された側に、前記放電を防止する防止手段を備えるようにしたことをその要旨とする。
【００１０】
この発明では、第１電極に対してイオン吐出方向に対して直交した方向の一側に部材が配置された側に位置する第２電極部分は、第１電極との間に、放電を防止する防止手段が備えられている。これにより、第１電極と第２電極との間であって、部材がイオン吐出方向に対して直交した方向の一側に偏倚した位置に配置された側では、放電させずにイオンの発生を防止することができる。
【００１１】
従って、イオン発生装置は、部材が配置された側からイオンが吐出されないため、部材にイオンが付着せずに帯電を防止することができる。この結果、イオン発生装置からのイオンが部材に付着せず、且つ、部材の帯電による影響を受けないため、より多くのイオンを対象物に到達させることができる。
【００１２】
請求項２に記載の発明は、請求項１に記載の美容装置において、前記防止手段は、前記第２電極を支持する支持部材により構成したことをその要旨とする。
この発明では、防止手段が第２電極を支持する支持部材により構成されることで、第２電極の変形を防止することができる。
【００１３】
請求項３に記載の発明は、請求項１又は２に記載の美容装置において、前記防止手段は、前記第１電極を支持する支持部材により構成したことをその要旨とする。
この発明では、防止手段が第１電極を支持する支持部材により構成されることで、第１電極の変形を防止することができる。
【００１４】
請求項４に記載の発明は、請求項１〜３のいずれか１項に記載の美容装置において、前記第１電極と、前記第１電極の少なくとも前記第２電極の接続線側との間は、絶縁材料で構成したことをその要旨とする。
【００１５】
この発明では、第１電極と、第１電極の少なくとも第２電極の接続線側との間は、絶縁材料で構成するようにした。従って、第１電極と、第２電極の接続線との間では、放電させずにイオンの発生を防止することができる。
【００１６】
請求項５に記載の発明は、請求項１〜４のいずれか１つの記載の美容装置において、前記イオン吐出方向に対して直交した一側に偏倚した位置に設けられた部材が接地するようにしたことをその要旨とする。
【００１７】
この発明では、イオン発生装置のイオン吐出方向に対して直交した一側に偏倚した位置に設けられた部材を接地し、その部材のイオンによる帯電を防止することができる。従って、部材からの影響を受けないため、より多くのイオンをさらに対象物に到達させることができる。
【発明の効果】
【００１８】
本発明によれば、より多くのイオンを対象物に到達させることができる美容装置を提供することができる。
【図面の簡単な説明】
【００１９】
【図１】本実施形態における美顔器を示す斜視図である。
【図２】同美顔器を左右方向で切断し背面から見た断面図である。
【図３】同美顔器のイオン放電部を示す斜視図である。
【図４】同美顔器のイオン放電部の分解斜視図である。
【図５】同美顔器の前後方向で切断し右側から見た断面図である。
【図６】同美顔器本体を示す正面図である。
【図７】同美顔器本体を示す側面図である。
【発明を実施するための形態】
【００２０】
（第１実施形態）
以下、第１実施形態を図１〜図５に従って説明する。
図１は、本実施形態のイオン発生装置を備える美容装置としての美顔器１０を示す。
【００２１】
美顔器１０は、有底略円筒状の本体ケース１１を有し、その本体ケース１１には美顔器本体１２が収容されて固定されている。そして、その本体ケース１１の開口部と面一をなす美顔器本体１２の上面には、ノズル部位１３及びスイッチ部１４が設置されている。ノズル部位１３及びスイッチ部１４を有する美顔器本体１２の上面は、本体ケース１１に対し開閉可能（傾動可能）に取り付けられたメインカバー１５にて露出・隠蔽が可能とされている。
【００２２】
ノズル部位１３は、美顔器本体１２の上面中央に設けられており、スチームミストを放出する一対のスチームノズル２１，２２、冷ミストを放出するミストノズル２３、及びマイナスイオンを放出するイオンノズル２４を有している。ミストノズル２３は中央位置に配置され、そのミストノズル２３の左右両側にスチームノズル２１，２２が配置されている。また、イオンノズル２４はミストノズル２３の上側にそれぞれ配置されている。
【００２３】
スチームノズル２１，２２、ミストノズル２３、及びイオンノズル２４の各放出方向は前側斜め上方の同一方向に向くように設定され、美顔器１０の前側と使用者と対向するように使用した時のその使用者の顔に向けて放出方向が向くように設定されている。
【００２４】
尚、ノズル部位１３は、美顔器本体１２に対して、傾動調整可能な構成となっている。従って、ノズル部位１３を傾動させることによって、各ノズル２１〜２４の放出角度を一体的な調整が可能となっている。
【００２５】
また、このノズル部位１３に対して、ノズルカバー１６が開閉可能（傾動可能）に取り付けられ、そのノズルカバー１６の開閉にて各ノズル２１〜２４の露出・隠蔽が可能になっている。
【００２６】
美顔器本体１２の上面であってノズル部位１３の手前右側に配置されたスイッチ部１４には、それぞれ押しボタンスイッチにて構成される電源スイッチ２５、運転制御スイッチ２６、及びコース選択スイッチ２７が設けられている。
【００２７】
電源スイッチ２５は、電源コード７０にて外部からの電源供給を受け、美顔器１０のオンオフ操作を行うものであり、運転制御スイッチ２６及びコース選択スイッチ２７は、その操作にて、スチームと冷ミストとを組み合わせて対象体に向けて放出するコースやスチームのみを放出するコースといった各種のコースの選択、及びその決定（動作開始）を行うものである。
【００２８】
また、美顔器本体１２の上面であってノズル部位１３の左側には、美顔器本体１２の上面から凹設されてなるタンク収容部１７が設けられており、該タンク収容部１７内には、開口部と面一となるように給水タンク１８が着脱可能に収容されている。給水タンク１８は、使用者が美顔器１０から取り外しての給水が可能となっており、貯留した水からスチームや冷ミストのそれぞれの生成が行われる。
【００２９】
前記ノズル部位１３に設けたイオンノズル２４には、マイナスイオン生成部３３が設けられている。
マイナスイオン生成部３３は、図２に示すようにノズル部位１３のイオンノズル２４内に備えられている。マイナスイオン生成部３３は、マイナスイオン放電部６１を備え、そのマイナスイオン放電部６１がイオンノズル２４に形成される収容凹部２４ａに収容保持されている。図３はマイナスイオン放電部６１の全体斜視図、図４はマイナスイオン放電部６１の分解斜視図、図５はマイナスイオン放電部６１の前後方向の断面図を示す。
【００３０】
図３〜図５に示すように、マイナスイオン放電部６１は、針電極６３及びグランド電極６４を有するとともに、両電極６３，６４を収容保持する電極ホルダ６５、電極ホルダ栓６６を有している。
【００３１】
電極ホルダ栓６６は有底円筒形状であって、その底部６６ａに２つの貫通孔６６ｂ，６６ｃが形成され、その貫通孔６６ｂ，６６ｃを介して高圧リード線Ｌ１、グランドリード線Ｌ２がそれぞれ内側に挿入されるようになっている。電極ホルダ栓６６は、円筒形状の電極ホルダ６５の基端部と、その基端側開口部を閉鎖するように連結して、高圧リード線Ｌ１及びグランドリード線Ｌ２を電極ホルダ６５内に挿入する。
【００３２】
放電の防止手段としての電極ホルダ６５は、基端部に栓連結部６５ａ、中央部に針電極支持部６５ｂ、先端部にグランド電極支持部６５ｃを有している。
栓連結部６５ａは、円筒形状であって、その外周面に前記電極ホルダ栓６６が嵌着固定されることによって、電極ホルダ栓６６の貫通孔６６ｂ，６６ｃを介して高圧リード線Ｌ１、グランドリード線Ｌ２が内側に配設される。
【００３３】
栓連結部６５ａの延長線上には、針電極支持部６５ｂが形成されている。針電極支持部６５ｂは、内筒Ｂ１と該内筒Ｂ１を内包する外筒Ｂ２からなる２重筒構造をしている。そして、針電極支持部６５ｂの内筒Ｂ１は、その中心軸に沿って貫通形成される貫通孔Ｂ３に、図５に示すように、針電極６３が挿通固定されている。詳述すると、先端が尖った棒状の針電極６３が基端部から後方に向かって挿通され、貫通孔Ｂ３の後方から突出した針電極６３の基端と前記高圧リード線Ｌ１と電気的に接続されている。そして、針電極６３の基端と前記高圧リード線Ｌ１が電気的に接続されている部分の外周は、熱収縮チューブ７２にて被覆され、針電極６３の基端部でコロナ放電が発生するのを防止している。
【００３４】
尚、本実施形態では、針電極６３は、その先端部を内筒Ｂ１から０．５ｍｍ突出させ、基端部を内筒Ｂ１から４．０ｍｍ突出させている。
針電極支持部６５ｂの外筒Ｂ２は、右半分に外周面が円弧面で形成され、左半分が軸線方向に形成した溝Ｃ１にて２分割されその溝Ｃ１を挟んで一対のグランド電極支持台Ｃ２が形成されている。
【００３５】
溝Ｃ１を挟んで形成された一対のグランド電極支持台Ｃ２には、周方向の挟持部材Ｃ３が突出されている。
針電極支持部６５ｂの外筒Ｂ２の延長線上には、グランド電極支持部６５ｃが延出形成されている。グランド電極支持部６５ｃは、溝Ｃ１を挟んで形成された一対のグランド電極支持台Ｃ２から延出形成された一対のグランド電極支持片Ｃ４及びグランド電極支持台Ｃ２の外周面とで電極支持面Ｓ１を形成している。
【００３６】
グランド電極６４は、２つの第１及び第２支持片Ｇ１，Ｇ２を有し、第２支持片Ｇ２は、後側を切り欠いて新たに第３支持片Ｇ３を形成している。第１〜第３支持片Ｇ１〜Ｇ３は、電極支持面Ｓ１に当接される。詳述すると、第１〜第３支持片Ｇ１〜Ｇ３を電極支持面Ｓ１に沿ってグランド電極支持台Ｃ２に形成した挟持部材Ｃ３間に挟入していくことによって、グランド電極６４の第１〜第３支持片Ｇ１〜Ｇ３は電極支持面Ｓ１に対して当接固定される。
【００３７】
第１支持片Ｇ１と第３支持片Ｇ３の先端部間には、帯状の放電部Ｇ４が連結されている。帯状に形成された放電部Ｇ４は、円環状に湾曲形成されている。
放電部Ｇ４を円環状に湾曲形成することによって、第１〜第３支持片Ｇ１〜Ｇ３を電極支持面Ｓ１に対して当接固定すると、グランド電極６４は、図４において、左半分に第１〜第３支持片Ｇ１〜Ｇ３が位置し、右半分に湾曲した放電部Ｇ４が位置する。そして、円環状に形成された放電部Ｇ４は、その円環状の中心が前記針電極支持部６５ｂの内筒Ｂ１に固定された針電極６３の前方であってその針電極６３の中心軸線上に位置するようになっている。
【００３８】
グランド電極６４の第２支持片Ｇ２は、電極支持面Ｓ１に当接固定された状態で、グランド電極支持台Ｃ２に貫通形成した貫通孔Ｃ５（図５参照）を介して電極ホルダ６５内に挿入された前記グランドリード線Ｌ２とスポット溶接にて接続され、グランド電極６４とグランドリード線Ｌ２が電気的に接続されている。グランドリード線Ｌ２は、その導線を覆うチューブを絶縁材料（本実施形態ではポリカーボネート）で形成されている。これにより、絶縁材料であるグランドリード線Ｌ２のチューブが、針電極６３の基端部と、グランド電極６４の基端部との間に配置されるため、針電極６３の基端部とグランド電極６４の基端部とで生じるコロナ放電を防止している。
【００３９】
そして、針電極６３とグランド電極６４間に、高電圧を印加することによって、該針電極６３とグランド電極６４との間でコロナ放電を発生させてマイナスイオンを生成する。
このとき、グランド電極６４の第１〜第３支持片Ｇ１〜Ｇ３は、針電極６３との間に第１〜第３支持片Ｇ１〜Ｇ３を当接固定しているグランド電極支持部６５ｃが介在されているため、第１〜第３支持片Ｇ１〜Ｇ３と針電極６３の間でコロナ放電は発生しない。そして、グランド電極６４の環状の放電部Ｇ４と針電極６３との間で、コロナ放電が生じることになる。
【００４０】
従って、このように構成したマイナスイオン放電部６１は、グランド電極６４の環状の放電部Ｇ４側でマイナスイオンが発生し、グランド電極６４の第１〜第３支持片Ｇ１〜Ｇ３側ではマイナスイオンが発生しないようになっている。
【００４１】
このように構成されたマイナスイオン放電部６１は、イオンノズル２４に形成される収容凹部２４ａに対して、グランド電極６４の環状の放電部Ｇ４側が下側（反ノズルカバー１６側）に、グランド電極６４の第１〜第３支持片Ｇ１〜Ｇ３側が上側（ノズルカバー１６側）に位置するように配置固定されている。
【００４２】
従って、美顔器１０は、イオンノズル２４の下側からマイナスイオンが吐出し、イオンノズル２４の上側からマイナスイオンが吐出しないようになっている。この結果、美顔器１０は、イオンノズル２４の上方に取り付けられたノズルカバー１６へのマイナスイオンの付着を防止するとともに、ノズルカバー１６の帯電を防止することができる。
【００４３】
次に、本実施形態の特徴的な作用効果を記載する。
（１）本実施形態では、マイナスイオン放電部６１を、イオンノズル２４に形成される収容凹部２４ａに対して、グランド電極６４の環状の放電部Ｇ４側が下側に、グランド電極６４の第１〜第３支持片Ｇ１〜Ｇ３側が上側に位置するように配置固定した。
【００４４】
これにより、美顔器１０は、イオンノズル２４の下側からマイナスイオンが吐出し、イオンノズル２４の上側からマイナスイオンが吐出しないようにすることができる。従って、美顔器１０は、イオンノズル２４の上方に取り付けられたノズルカバー１６へのマイナスイオンの付着を防止するとともに、ノズルカバー１６の帯電を防止することができる。
【００４５】
この結果、ノズルカバー１６にマイナスイオンが付着せずに帯電を防止することができ、より多くのイオンを対象物に到達させることができる。
（２）さらに、グランド電極６４は、その第１〜第３支持片Ｇ１〜Ｇ３が電極ホルダ６５の電極支持面Ｓ１、挟持部材Ｃ３に支持されているため、変形を防止することができる。
【００４６】
（３）本実施形態では、針電極６３は、電極ホルダ６５の針電極支持部６５ｂに挿通支持されているため、変形を防止することができる。
（４）本実施形態では、マイナスイオン放電部６１の針電極６３は、その基端部で高圧リード線Ｌ１と接続され、その周囲を熱収縮チューブ７２で覆うようにした。さらに、針電極６３の基端部とグランド電極６４の基端部との間に配置されたグランドリード線Ｌ２は、そのチューブが絶縁材料のポリカーボネートで形成されている。つまり、針電極６３の基端部とグランド電極６４の基端部との間に、熱収縮チューブ７２及び絶縁材料のポリカーボネートで形成されたチューブを備えたグランドリード線Ｌ２が配置されている。
【００４７】
これにより、イオンノズル２４に形成される収容凹部２４ａに対して上側に位置するグランド電極６４の基端部と、針電極６３の基端部との間で発生するコロナ放電を防止することができる。従って、美顔器１０は、イオンノズル２４の上側からマイナスイオンが吐出しないようにすることができ、イオンノズル２４の上方に取り付けられたノズルカバー１６へのマイナスイオンの付着を防止するとともに、ノズルカバー１６の帯電を防止することができる。この結果、ノズルカバー１６にマイナスイオンが付着せずに帯電を防止することができ、イオンを対象物にさらに到達させることができる。
（第２実施形態）
第１実施形態では、イオンノズル２４の上側からマイナスイオンが吐出しないようにして、ノズルカバー１６にマイナスイオンを付着させずに耐電を防止していた。第２実施形態では、ノズルカバー１６に導電テープ９０を貼付し、ノズルカバー１６に付着したマイナスイオンの耐電を防止するようになっている。
【００４８】
以下、ノズルカバー１６に導電テープ９０を貼付する場合について図６及び図７に従って、第１実施形態との相違点を中心に説明する。なお、先の図１〜図５に示した部材と同一の部材にはそれぞれ同一の符号を付して示し、それら各要素については説明の便宜上その説明を省略する。
【００４９】
図６及び図７は、本体ケース１１に収容されていない状態の美顔器本体１２を示している。
図６に示すように、ノズルカバー１６は、その外側面１６ａであってその連結部側に導電性の導電テープ９０が貼付されている。導電テープ９０は、グランドリード線９１に接合されている。そして、図７に示すように、グランドリード線９１の他端は、グランドに接続されたその固定端子９２にねじ締め付けにて固定されている。
【００５０】
次に、本実施形態の特徴的な作用効果を記載する。
（１）ノズルカバー１６に、美顔器本体１２のグランドに接続された導電テープ９０を貼付した。従って、ノズルカバー１６に付着したマイナスイオンは導電テープ９０を介して美顔器本体１２のグランドに逃がすことができる。この結果、付着したマイナスイオンによるノズルカバー１６の耐電を防止し、イオンノズル２４からのマイナスイオンが、ノズルカバー１６の影響を受けずに、対象物に到達することができる。
【００５１】
尚、本発明の実施形態は、以下のように変更してもよい。
・上記実施形態では、電極ホルダ６５において、針電極支持部６５ｂの内筒Ｂ１から針電極６３を０．５ｍｍ突出させていたが、０．１ｍｍ以上針電極６３が内筒Ｂ１から突出していれば特に制限されない。
【００５２】
このようにしても、上記実施形態の効果と同様な効果を得ることができる。
・上記実施形態では、電極ホルダ６５の針電極支持部６５ｂは、その内筒Ｂ１にて針電極６３が挿通支持していたが、グランド電極６４に接続されたグランドリード線Ｌ２側のみで支持するようにしてもよい。
【００５３】
このようにしても、上記実施形態の効果と同様な効果を得ることができる。
・上記実施形態では、電極ホルダ６５は、グランド電極６４が円環状になる先端までグランド電極６４を支持していたが、グランド電極６４を支持する範囲は、がたつき無く支持することができれば特に制限されない。
【００５４】
このようにしても、上記実施形態の効果と同様な効果を得ることができる。
・上記第２実施形態では、ノズルカバー１６に美顔器本体１２のグランドに接続された導電テープ９０を貼付したが、美顔器本体１２のグランドに接続せずに帯電防止用の導電テープを貼付してもよい。
【００５５】
このようにしても、上記実施形態の効果と同様な効果を得ることができる。
・上記第２実施形態では、ノズルカバー１６の連結部側に導電テープ９０を貼付したが、導電テープ９０をノズルカバー１６に貼付する位置は特に制限されない。
【００５６】
このようにしても、上記実施形態の効果と同様な効果を得ることができる。
【符号の説明】
【００５７】
１０…美容装置（美顔器）、２４ａ…通路部材（収容凹部）、６１…イオン発生装置（マイナスイオン放電部）、１６…部材（ノズルカバー）、６３…第１電極（針電極）、６４…第２電極（グランド電極）、６５…防止手段、支持部材（電極ホルダ）、Ｌ２…接続線（グランドリード線）
【図１】
2011076984.tif 000003
【図２】
2011076984.tif 000004
【図３】
2011076984.tif 000005
【図４】
2011076984.tif 000006
【図５】
2011076984.tif 000007
【図６】
2011076984.tif 000008
【図７】
2011076984.tif 000009